(57)【要約】【課題】  測定範囲が広範で室温測定と高温測定が同時に行なえるＳＡＷ温度計を用いた、室温管理及び火災報知システムを得る。【解決手段】  ＳＡＷ温度計を室温測定用ＳＡＷ素子と高温測定用ＳＡＷ素子の２つのＳＡＷ素子で構成する。各ＳＡＷ素子にはＩＤＴと温度計測用リフレクタを配置し、どちらか一方のＳＡＷ素子にＩＤ検出用リフレクタを配置する。温度計測用リフレクタは、１個の主リフレクタと２個の副リフレクタで構成し、主リフレクタと第一副リフレクタとの位相差間隔を＋１／８λとし、主リフレクタと第二副リフレクタとの位相差間隔を−１／８λとする。また、測定対象区域内に異なるＩＤを有したＳＡＷ温度計を複数配置し、リーダより一定周期にて温度測定を行い、得られた温度情報をエアコン及び／又は火災感知器に入力し、更に電灯線ネットワークを中継して温度管理サーバに接続する。【選択図】        図１
2006170864.tif 000002
【特許請求の範囲】
【請求項１】
室温測定用ＳＡＷ素子として温度係数の大きな圧電基板上に櫛型電極であるＩＤＴと温度計測用リフレクタを配置し、高温測定用ＳＡＷ素子として温度係数の小さな圧電基板上に櫛型電極であるＩＤＴと温度計測用リフレクタを配置し、該室温測定用ＳＡＷ素子と高温測定用ＳＡＷ素子のＩＤＴがシリーズ接続となるようにアンテナを接続し、更に室温測定用ＳＡＷ素子又は高温測定用ＳＡＷ素子のどちらか一方の圧電基板上にＩＤ検出用リフレクタを配置して構成したことを特徴とする、ＳＡＷ温度計。
【請求項２】
温度計測用リフレクタは、１個の主リフレクタと２個の副リフレクタで構成され、圧電基板上を伝播する駆動信号の１波長をλとした場合、主リフレクタと第一副リフレクタとの位相差間隔を＋１／８λとし、主リフレクタと第二副リフレクタとの位相差間隔を−１／８λとし、該３個のリフレクタの反射面が個々にＩＤＴと対面するようにずらして配置したことを特徴とした、請求項１に記載のＳＡＷ温度計。
【請求項３】
請求項１及び請求項２に記載したＳＡＷ温度計を用いた室温管理及び火災報知システムとして、エアコンによる温度調節及び／又は火災感知器による警報動作を行うため、測定対象区域内に異なるＩＤを有したＳＡＷ温度計を電源及び信号の配線を行うことなく複数配置し、リーダより一定周期にて温度測定を行い、得られた温度情報をエアコン及び／又は火災感知器に入力し、
また、複数の部屋の温度情報の一元管理を行うため、各部屋のリーダを温度管理サーバが接続された電灯線ネットワークに接続したことを特徴とした、ＳＡＷ温度計による室温管理及び火災報知システム。
【請求項４】
火災等が発生した場合において監視センターより指揮車や消防車等を現場に急行させるため、ネットワークサーバを電灯線ネットワークに接続すると共に、インターネットを中継して監視センター内のサーバと接続したことを特徴とした、請求項３に記載のＳＡＷ温度計による室温管理及び火災報知システム。
【請求項５】
リーダのクロック部の発振周波数即ちキャリア周波数を９５０ＭＨｚ帯にすると共に、該リーダ内にＲＦＩＤ通信部を内蔵することにより、ＳＡＷ温度計による温度測定と部屋にいる人が所持するＲＦＩＤタグとの通信の両方を行って人の存在や移動等を管理することができ、火災発生時等において非難状況が確認できることを特徴とした、請求項３及び請求項４に記載のＳＡＷ温度計による室温管理及び火災報知システム。
【発明の詳細な説明】
【技術分野】
【０００１】
本発明は、複数のＳＡＷ（Surface Acoustic Wave）温度計を利用して室内の温度分布状態を測定することにより、エアコンによる室温管理及び異常高温時の火災報知等を高精度に行うことができる、ＳＡＷ温度計による室温管理及び火災報知システムに関するものである。
【背景技術】
【０００２】
従来、エアコンにより室温管理を行う場合、快適な体感温度に設定すべく室温設定スイッチを調節しながら行っていた。該エアコンの温度センサは室内機又はリモコン等に内蔵されており、該室内機又はリモコン等の周辺温度を測定して温度制御を行うのが一般的である。
【０００３】
また、火災感知器により火災報知を行う場合、室内の１箇所又は広い室内においては数箇所に火災感知器を設置し、警報器の鳴動又はネットワークを経由して監視センターに自動通報するシステムにより行われていた。該火災感知器の温度センサも当該火災感知器に内蔵されているのが一般的である。
【０００４】
上記エアコンによる室温管理において、より快適な温度制御を行う場合や、火災感知器による火災報知において、より正確且つ迅速な通報を行う場合、温度測定の箇所を増して測定対象区域の温度分布状態を詳細に測定する必要がある。
【０００５】
しかしながら、温度測定の箇所を増すことは温度センサの個数を増すことになり、その分電源線や信号線が増えることになる。このため、配線が複雑になると共にコストも上昇するため、実施には至っていなかった。
【０００６】
温度センサとして電源及び信号の配線が不要なものであれば、上記問題は解決することになる。該温度センサとして相応しいものにＳＡＷ温度計がある。該ＳＡＷ温度計は、例えば特開２００４−１２９１８５号公報の「ＳＡＷセンサ、ＳＡＷセンサを用いた個体識別装置、およびＳＡＷセンサの製造方法」に記載されているように、圧電基板上に櫛型電極よりなるＳＡＷ素子とアンテナとを配し、ＳＡＷ素子駆動信号発生部より駆動信号を無線送信して測定対象物の温度変化を弾性表面波の周波数，位相，速度，遅延時間のいずれかの変化として受信し、演算処理により温度を算出するものであり、温度センサ用の電源や配線は不要である。
【特許文献１】特開２００４−１２９１８５
【発明の開示】
【発明が解決しようとする課題】
【０００７】
上記公報例の方式によるＳＡＷ温度計において、反射信号の速度や遅延時間の変化により温度測定を行う方法ではＳＡＷ素子部における遅延時間がナノ秒単位であるため、演算処理を高速に行う必要があり、演算回路が複雑化且つ高価になってしまうという欠点があった。このため、演算回路が簡単に構成できる位相特性の変化による温度測定が好適であるが、該方法による温度検出の範囲は一般的に十数度であり、測定範囲が狭いという欠点があった。
【０００８】
本発明は、以上の欠点を解決するために成されたものであり、ＳＡＷ温度計の位相特性の変化による温度測定において、測定範囲を広範にすると共に、エアコンによる室温管理用の室温測定と異常高温時の火災報知用の高温測定が同時にでき、更に複数のＳＡＷ温度計のデータを識別することができるＳＡＷ温度計と、該ＳＡＷ温度計を用いてエアコンによる室温管理及び異常高温時の火災報知等を高精度に行うことができる、ＳＡＷ温度計による室温管理及び火災報知システムを提供することを目的とする。
【課題を解決するための手段】
【０００９】
上記課題を解決するため、本発明のＳＡＷ温度計においては、室温測定用ＳＡＷ素子として温度係数の大きな圧電基板上に櫛型電極であるＩＤＴ（Interdigital Transducers）と温度計測用リフレクタを配置し、高温測定用ＳＡＷ素子として温度係数の小さな圧電基板上に櫛型電極であるＩＤＴと温度計測用リフレクタを配置し、該室温測定用ＳＡＷ素子と高温測定用ＳＡＷ素子のＩＤＴがシリーズ接続となるようにアンテナを接続し、更に室温測定用ＳＡＷ素子又は高温測定用ＳＡＷ素子のどちらか一方の圧電基板上にＩＤ（Identification）検出用リフレクタを配置して構成する。
【００１０】
温度計測用リフレクタは、１個の主リフレクタと２個の副リフレクタで構成され、圧電基板上を伝播する駆動信号の１波長をλとした場合、主リフレクタと第一副リフレクタとの位相差間隔を＋１／８λとし、主リフレクタと第二副リフレクタとの位相差間隔を−１／８λとし、該３個のリフレクタの反射面が個々にＩＤＴと対面するようにずらして配置する。
【００１１】
また、本発明の室温管理及び火災報知システムとして、エアコンによる温度調節及び／又は火災感知器による警報動作を行うため、測定対象区域内に異なるＩＤを有したＳＡＷ温度計を電源及び信号の配線を行うことなく複数配置し、リーダより一定周期にて温度測定を行い、得られた温度情報をエアコン及び／又は火災感知器に入力する。また、複数の部屋の温度情報の一元管理を行うため、各部屋のリーダを温度管理サーバが接続された電灯線ネットワークに接続する。
【００１２】
また、火災等が発生した場合において監視センターより指揮車や消防車等を現場に急行させるため、ネットワークサーバを電灯線ネットワークに接続すると共に、インターネットを中継して監視センター内のサーバと接続する。
【発明の効果】
【００１３】
本発明のＳＡＷ温度計による室温管理及び火災報知システムをビル等の建築物内で使用すれば、電源や信号の配線が不要なＳＡＷ温度計の位相特性の変化による温度測定において測定範囲が広範になると共に、エアコンによる室温管理用の室温測定と異常高温時の火災報知用の高温測定を一つのＳＡＷ温度計で同時に行える。このため、該ＳＡＷ温度計を測定対象区域内に複数設置することにより温度分布状態を詳細に測定でき、エアコンによる室温管理及び異常高温時の火災報知等を高精度に行うことができるという絶大なる効果を奏することができる。
【発明を実施するための最良の形態】
【００１４】
本発明を実施するための最良の形態を図を用いて説明する。
【００１５】
図２は本発明のＳＡＷ温度計による室温管理及び火災報知システムで用いるＳＡＷ温度計の構成図である。本発明のＳＡＷ温度計２は、室温測定用ＳＡＷ素子２ａとして温度係数の大きな圧電基板１４上に櫛型電極であるＩＤＴ１５と温度計測用リフレクタ１６を配置し、高温測定用ＳＡＷ素子２ｂとして温度係数の小さな圧電基板２１上に櫛型電極であるＩＤＴ１５と温度計測用リフレクタ１６を配置し、該室温測定用ＳＡＷ素子２ａと高温測定用ＳＡＷ素子２ｂのＩＤＴ１５，１５がシリーズ接続となるようにアンテナ１７を接続し、更に室温測定用ＳＡＷ素子２ａ又は高温測定用ＳＡＷ素子２ｂのどちらか一方の圧電基板上にＩＤ検出用リフレクタ２２を配置して構成する。温度係数の大きな圧電基板１４として、ニオブ酸リチウム（ＬｉＮｂＯ３）が好適であり、温度係数の小さな圧電基板２１としてタンタル酸リチウム（ＬｉＴａＯ３）が好適であるが、特に限定するものではない。
【００１６】
図３は本発明のＳＡＷ温度計による室温管理及び火災報知システムで用いるＳＡＷ温度計の信号伝播図である。（ａ）は室温測定用ＳＡＷ素子２ａ又は高温測定用ＳＡＷ素子２ｂの各ＳＡＷ温度計２における信号伝播状態を示し、リーダ３のアンテナ１８より駆動信号１９を送信すると、各ＳＡＷ温度計２はアンテナ１７にて当該駆動信号１９を受信する。次に、該駆動信号１９は櫛型電極であるＩＤＴ１５より圧電基板１４，２１上を伝播した後、温度計測用リフレクタ１６により反射されＩＤＴ１５に戻り、反射信号２０として再びアンテナ１７よりリーダ３に返される。なお、駆動信号１９は、例えば３１５ＭＨｚ等のキャリア周波数を１波以上含んだパルス信号である。従って、反射信号２０も同様のキャリア周波数を含んだパルス信号となる。
【００１７】
前記温度計測用リフレクタ１６は、１個の主リフレクタ１６ａと２個の副リフレクタ１６ｂ，１６ｃで構成され、圧電基板１４，２１上を伝播する駆動信号１９の１波長をλとした場合、主リフレクタ１６ａと第一副リフレクタ１６ｂとの位相差間隔を＋１／８λとし、主リフレクタ１６ａと第二副リフレクタ１６ｃとの位相差間隔を−１／８λとし、該３個のリフレクタ１６ａ，１６ｂ，１６ｃの反射面が個々にＩＤＴ１５と対面するようにずらして配置する。従って、各温度計測用リフレクタ１６による反射信号２０は、主リフレクタ１６ａと副リフレクタ１６ｂ，１６ｃによる３つの反射信号から成る。
【００１８】
ここで、基準温度におけるＩＤＴ１５と主リフレクタ１６ａとの距離をＬ１とし、ＩＤＴ１５と第一副リフレクタ１６ｂとの距離をＬ２とし、ＩＤＴ１５と第二副リフレクタ１６ｃとの距離をＬ３とすると、Ｌ１，Ｌ２及びＬ３は下記数式で表される。
Ｌ１＝λ×ｑ
Ｌ２＝λ×（ｑ＋ｍ＋１／８）
Ｌ３＝λ×（ｑ＋ｎ−１／８）
なお、ｑ，ｍ，ｎは整数とし、ｑはｍ，ｎより絶対的に大きな値とする。
【００１９】
また、（ｂ）は各リフレクタ１６ａ，１６ｂ，１６ｃによる駆動信号の反射状態及び時間関係を示し、Ｔ０時間のパルス幅を持つ駆動信号１９を送信した場合、基準温度におけるＩＤＴ１５と主リフレクタ１６ａとの反射時間をＴ１とし、ＩＤＴ１５と第一副リフレクタ１６ｂとの反射時間をＴ２とし、ＩＤＴ１５と第二副リフレクタ１６ｃとの反射時間をＴ３とすると、Ｔ１，Ｔ２及びＴ３は下記数式で表される。
Ｔ１＝２Ｌ１／λ×ｆ０＝２ｑ／ｆ０
Ｔ２＝２Ｌ２／λ×ｆ０＝２（ｑ＋ｍ＋１／８）／ｆ０
Ｔ３＝２Ｌ３／λ×ｆ０＝２（ｑ＋ｎ−１／８）／ｆ０
なお、ｆ０は駆動信号１９のキャリア周波数である。
【００２０】
また、ｍ，ｎの値を最適に選択し、主リフレクタ１６ａと第一副リフレクタ１６ｂの反射信号との間及び第一副リフレクタ１６ｂと第二副リフレクタ１６ｃとの間にＴＧ時間のギャップを設け、各反射信号同士が重なり合わないようにする必要がある。更に、図２に示すように例えば高温測定用ＳＡＷ素子２ｂの圧電基板２１上に設置する温度計測用リフレクタ１６の主リフレクタ１６ａとＩＤＴ１５との距離をＬ４とした場合、Ｌ４はＬ３より長くする必要がある。これも、室温測定用ＳＡＷ素子２ａの温度計測用リフレクタ１６の各反射信号２０と、高温測定用ＳＡＷ素子２ｂの温度計測用リフレクタ１６の各反射信号２０が重なり合わないようにするためである。更に、ＩＤ検出用リフレクタ２２の各反射信号２０とも重なり合わないようにするため、例えば室温測定用ＳＡＷ素子２ａの圧電基板１４上の温度計測用リフレクタ１６と反対側に設置したＩＤ検出用リフレクタ２２の端部のリフレクタ２２ｃとＩＤＴ１５との距離をＬ５とした場合、Ｌ５はＬ１より短くする必要がある。なお、ＩＤ検出用リフレクタ２２は３〜４ビット程度が好適である。図２では３ビットのリフレクタ２２ａ，２２ｂ，２２ｃの反射面が個々にＩＤＴ１５と対面するようにずらして配置してあり、該リフレクタ２２ａ，２２ｂ，２２ｃの有無により０〜７のＩＤ検出が行える。
【００２１】
以上のことから、図２に示すＳＡＷ温度計２にリーダ３のアンテナ１８より駆動信号１９を送信すると、ＩＤ検出用リフレクタ２２から３個の反射信号２０と、室温測定用ＳＡＷ素子２ａの温度計測用リフレクタ１６から３個の反射信号２０と、高温測定用ＳＡＷ素子２ｂの温度計測用リフレクタ１６から３個の反射信号２０の計９個の反射信号２０がリーダ３に返されることになる。
【００２２】
図４は本発明のＳＡＷ温度計による室温管理及び火災報知システムで用いるリーダの概略回路ブロック図である。リーダ３は、電灯線ネットワークと接続して温度情報を温度管理サーバに伝送するためのネットワーク通信部２３と、ＳＡＷ温度計２と通信を行い駆動信号１９に応答した反射信号２０を受信するためのＳＡＷ通信部２６と、該反射信号２０と基準信号との位相差により温度を電圧値に変換するための位相検出器２７と、該電圧値をデジタルデータに変換するためのＡ／Ｄ変換器２８と、ネットワーク通信部２３，ＳＡＷ通信部２６等の制御を行うためのＣＰＵ２４と、該ＣＰＵ２４，ＳＡＷ通信部２６，位相検出器２７及びＡ／Ｄ変換器２８等にクロック信号を供給するためのクロック部２５と、電灯線ネットワークより回路用電源を得るための電源部２９等により構成する。また、該リーダ３をＲＦＩＤ（Radiofrequency Identification）システムのリーダと兼用して、部屋における人の存在や移動等の管理を行う場合、クロック部２５の発振周波数を９５０ＭＨｚ帯にすると共にＲＦＩＤ通信部３０を内蔵し、ＣＰＵ２４にて制御が行うようにする。
【００２３】
また、図１は本発明のＳＡＷ温度計による室温管理及び火災報知システムにおけるシステム構成図であり、上記ＳＡＷ温度計２を用いて部屋１の室温管理及び火災報知を行う場合、エアコン４による温度調節及び／又は火災感知器（図示せず）による警報動作を行うため、測定対象区域内に異なるＩＤを有したＳＡＷ温度計２を電源及び信号の配線を行うことなく複数配置し、リーダ３より一定周期にて温度測定を行い、得られた温度情報をエアコン４及び／又は火災感知器に入力する。また、複数の部屋１の温度情報の一元管理を行うため、各部屋１のリーダ３を温度管理サーバ８が接続された電灯線ネットワーク７に接続する。
【００２４】
また、火災等が発生した場合において監視センター１１より指揮車１２や消防車１３等を現場に急行させるため、ネットワークサーバ９を電灯線ネットワーク７に接続すると共にインターネット１０を中継して監視センター１１内のサーバ（図示せず）と接続する。
【００２５】
次に、本発明のＳＡＷ温度計の測定原理を図を用いて説明する。
【００２６】
図５は図４における位相検出器の動作原理図であり、位相検出器２７の一方の入力端子ＰＡに基準信号を入力し、他方の入力端子ＰＢに反射信号２０を入力すると、内蔵ログアンプにて適正レベルに調整した後、両信号の差を演算して電圧値で出力するものである。この型のＩＣとしては、例えばアナログデバイセズ社のＡＤ８３０２があり、位相差の測定範囲は−１８０〜＋１８０°で±９０°の違いを区別しないのが一般的であるため、−９０°を中心とする０〜−１８０°又は＋９０°を中心とする０〜＋１８０°の範囲となる。出力電圧は、−１８０〜０°の範囲で０〜１．８Ｖ、０〜＋１８０°の範囲で１．８〜０Ｖである。
【００２７】
従って、上記型のＩＣにおいて出力電圧が０．９Ｖであった場合、位相差が＋９０°なのか−９０°なのか判別できない。そこで、図３及び後述の図６に示すように、温度計測用リフレクタ１６の主リフレクタ１６ａによる反射信号の位相検出の他に、２個の副リフレクタ１６ｂ，１６ｃによる反射信号の位相検出を行うことにより判断することにする。
【００２８】
図６は本発明のＳＡＷ温度計における各温度計測用リフレクタの位相関係図であり、圧電基板１４，２１上を伝播する駆動信号１９の１波長をλとし、ＩＤＴ１５より波長λのｑ（整数）倍且つ絶対的に長い位置Ｐ１に温度計測用リフレクタ１６の主リフレクタ１６ａを配置し、該主リフレクタ１６ａと＋１／８λの位相差間隔を有する位置Ｐ２と、＋２／８λの位相差間隔を有する位置Ｐ３と、−１／８λの位相差間隔を有する位置Ｐ４’に各々副リフレクタ１６ｂ，１６ｘ，１６ｃ’を配置したと想定する。ここで、リーダ３のアンテナ１８より駆動信号１９を送信すると、位置Ｐ１にある主リフレクタ１６ａによる反射信号２０と、位置Ｐ２にある副リフレクタ１６ｂによる反射信号２０と、位置Ｐ３にある副リフレクタ１６ｘによる反射信号２０と、位置Ｐ４’にある副リフレクタ１６ｃ’による反射信号２０の４つの反射信号２０が返ってくることになる。
【００２９】
上記各反射信号２０の位相関係を判り易くするため、図６では反射信号２０を各リフレクタ１６ａ，１６ｂ，１６ｘ，１６ｃの右側に折り返して描いてある。ここで、基準信号と（ａ）に示す位置Ｐ１にある主リフレクタ１６ａによる反射信号２０を比較すると、位相差は０°である。また、基準信号と（ｂ）に示す位置Ｐ２にある副リフレクタ１６ｂによる反射信号２０を比較すると、位相差は−１／４λ即ち−９０°である。また、基準信号と（ｃ）に示す位置Ｐ３にある副リフレクタ１６ｘによる反射信号２０を比較すると、位相差は±１／２λ即ち±１８０°である。また、基準信号と（ｄ）に示す位置Ｐ４’にある副リフレクタ１６ｃ’による反射信号２０を比較すると、位相差は＋１／４λ即ち＋９０°である。ここで、該位置Ｐ４’にある副リフレクタ１６ｃ’による反射信号２０は、主リフレクタ１６ａと＋３／８λの位相差間隔を有する位置Ｐ４に配置した副リフレクタ１６ｃによる反射信号２０と同一となり、反射信号２０の処理順序としては副リフレクタ１６ｃを位置Ｐ４に設置するのが好適であり、実際には該位置に副リフレクタ１６ｃを設置する。なお、温度変化により、位置Ｐ１にある主リフレクタ１６ａの反射信号２０の位相がリーダ３内の基準信号とずれた場合でも、該主リフレクタ１６ａと各副リフレクタ１６ｂ，１６ｃとの位相差は±９０°の関係を維持している。
【００３０】
図７は本発明のＳＡＷ温度計における各温度計測用リフレクタの位相特性図であり、（ａ）は位置Ｐ１にある主リフレクタ１６ａと位置Ｐ２，Ｐ３，Ｐ４にある各副リフレクタ１６ｂ，１６ｘ，１６ｃの反射信号２０による位相検出器２７での出力電圧を表にまとめたものであり、（ｂ）はこれをグラフ化したものである。また、（ｃ）は（ｂ）における位置Ｐ３での反射信号２０による出力信号を削除したものである。該図から判るように、位置Ｐ１にある主リフレクタ１６ａの反射信号２０の＋１８０〜０°の範囲において出力電圧は０〜１．８Ｖであり、０〜−１８０°の範囲において出力電圧は１．８〜０Ｖと同一電圧であり１８０°以上の位相特性は判別できないが、＋１８０〜０°の範囲において位置Ｐ２にある第一副リフレクタ１６ｂの反射信号２０による出力電圧は位置Ｐ４にある第二副リフレクタ１６ｃの反射信号２０による出力電圧よりも低く、０〜−１８０°の範囲において位置Ｐ２にある第一副リフレクタ１６ｂの反射信号２０による出力電圧は位置Ｐ４にある第二副リフレクタ１６ｃの反射信号２０による出力電圧よりも高いことが判る。従って、位置Ｐ２及び位置Ｐ４での反射信号２０による出力電圧の正負を判断することにより、位置Ｐ１にある主リフレクタ１６ａの反射信号２０による出力電圧が位相差＋１８０〜０°の電圧値なのか又は０〜−１８０°の電圧値なのかが判別できるため、温度の測定範囲が２倍に広がることになる。位置Ｐ３での反射信号２０による出力電圧は判断材料としては使用しないため不要となる。
【００３１】
以上のようにして、位置Ｐ１にある主リフレクタ１６ａと位置Ｐ２にある第一副リフレクタ１６ｂ及び位置Ｐ４にある第二副リフレクタ１６ｃの反射信号２０を読み取ることにより、位置Ｐ１にある主リフレクタ１６ａでの反射信号２０による出力電圧が位相差＋１８０〜０°の電圧値なのか又は０〜−１８０°の電圧値なのかが判別できる。そして、該電圧値をＡ／Ｄ変換器２８によりデジタルデータに変換して補正を行い、ＣＰＵ２４において補正後のデジタルデータと温度情報を記憶したルックアップテーブルを参照比較することにより、−１８０〜＋１８０°までの位相差の温度情報がリニアに得られることになる。従って、従来の温度測定範囲の２倍の温度測定が行えることになる。
【実施例】
【００３２】
本発明の実施例を図を用いて説明する。図１は本発明のＳＡＷ温度計による室温管理及び火災報知システムにおけるシステム構成図である。
【００３３】
上記ＳＡＷ温度計２を用いて部屋１の室温管理及び火災報知を行う場合、エアコン４による温度調節及び／又は火災感知器（図示せず）による警報動作を行うため、測定対象区域内に異なるＩＤを有したＳＡＷ温度計２を複数配置する。温度は空間内の上下方向に分布するため、例えば部屋１の天井付近と中間点及び床付近に配置する。また、リーダ３をエアコン４や火災感知器の内部又は近傍に設置して一定周期にて温度測定を行い、得られた温度情報をエアコン４及び／又は火災感知器に入力する。
【００３４】
ＳＡＷ温度計２の室温測定用ＳＡＷ素子２ａからはエアコン４の温度調節を行うのに適した例えば５〜３５℃程度の広範且つ高精度の温度情報が得られ、高温測定用ＳＡＷ素子２ｂからは火災感知器による警報動作を行うのに適した高温の温度情報が得られる。そして、該温度情報を直接エアコン４の温度調節回路に入力して温度調節を行ったり、火災感知器の温度検出回路に入力して警報動作を行うことができる。また、複数の部屋１の温度情報の一元管理を行うため、各部屋１のリーダ３を温度管理サーバ８が接続された電灯線ネットワーク７に接続することにより、新たな配線を敷設することなく当該温度管理サーバ８にてビル等の建築物内の各部屋１の温度管理を行うことができる。なお、電灯線ネットワーク７における電源線として非常灯用の電源線を利用すれば、難燃性のある材質のため火災発生時等においても長時間情報伝達が行えることになる。
【００３５】
また、火災等が発生した場合において監視センター１１より指揮車１２や消防車１３等を現場に急行させるため、ネットワークサーバ９を電灯線ネットワーク７に接続すると共に、インターネット１０を中継して監視センター１１内のサーバ（図示せず）と接続すれば、温度情報を詳細に解析することにより火災等の発生元を特定することができるため、迅速な対応を図ることができる。
【００３６】
また、リーダ３のクロック部２５の発振周波数即ちキャリア周波数を９５０ＭＨｚ帯にすると共に、該リーダ３内にＲＦＩＤ通信部３０を内蔵することにより、ＳＡＷ温度計２による温度測定と部屋１にいる人５が所持するＲＦＩＤタグ６との通信の両方を行って人の存在や移動等を管理することができ、火災発生時等において非難状況が確認できる。
【産業上の利用可能性】
【００３７】
上述の説明では、ビル等の建築物において、複数のＳＡＷ温度計により室内の温度分布状態を詳細に測定し、エアコンによる室温管理及び異常高温時の火災報知等を高精度に行う室温管理及び火災報知システムに関して述べたが、電源や信号の配線が不要なＳＡＷ温度計の特徴を活用すれば、あらゆる場所に設置してあらゆるシステムに利用することが可能である。
【図面の簡単な説明】
【００３８】
【図１】本発明のＳＡＷ温度計による室温管理及び火災報知システムにおけるシステム構成図である。
【図２】本発明のＳＡＷ温度計による室温管理及び火災報知システムで用いるＳＡＷ温度計の構成図である。
【図３】本発明のＳＡＷ温度計による室温管理及び火災報知システムで用いるＳＡＷ温度計の信号伝播図である。
【図４】本発明のＳＡＷ温度計による室温管理及び火災報知システムで用いるリーダの概略回路ブロック図である。
【図５】図４における位相検出器の動作原理図である。
【図６】本発明のＳＡＷ温度計における各温度計測用リフレクタの位相関係図である。
【図７】本発明のＳＡＷ温度計における各温度計測用リフレクタの位相特性図である。
【符号の説明】
【００３９】
１  部屋
２  ＳＡＷ温度計
２ａ  室温測定用ＳＡＷ素子
２ｂ  高温測定用ＳＡＷ素子
３  リーダ
４  エアコン
５  人
６  ＲＦＩＤタグ
７  電灯線ネットワーク
８  温度管理サーバ
９  ネットワークサーバ
１０  インターネット
１１  監視センター
１２  指揮車
１３  消防車
１４  圧電基板
１５  ＩＤＴ
１６  温度計測用リフレクタ
１７  アンテナ
１８  アンテナ
１９  駆動信号
２０  反射信号
２１  圧電基板
２２  ＩＤ検出用リフレクタ
２３  ネットワーク通信部
２４  ＣＰＵ
２５  クロック制御部
２６  ＳＡＷ通信部
２７  位相検出部
２８  Ａ／Ｄ変換部
２９  電源部
３０  ＲＦＩＤ通信部
【図１】
2006170864.tif 000003
【図２】
2006170864.tif 000004
【図３】
2006170864.tif 000005
【図４】
2006170864.tif 000006
【図５】
2006170864.tif 000007
【図６】
2006170864.tif 000008
【図７】
2006170864.tif 000009